(57)【要約】【課題】意図しないプロファイルが切断された場合に、切断されたプロファイルの再接続操作をユーザが行うことなく、切断されたプロファイルを自動的に再接続させる。【解決手段】車載装置２は、携帯電話機３との間でＨＦＰとＡ２ＤＰとを同時接続しているときにＨＦＰの切断要求が発生し、ＨＦＰ切断要求を携帯電話機３に送信させたことに応じてＨＦＰを切断させた後に、Ａ２ＤＰ切断要求が携帯電話機３から送信されたことに応じてＡ２ＤＰが切断されると、Ａ２ＤＰ接続要求を携帯電話機３に送信させる。携帯電話機３から意図しないＡ２ＤＰが切断されることになるが、Ａ２ＤＰ接続要求を携帯電話機３に送信させることにより、切断されたＡ２ＤＰを再接続させるための再接続操作をユーザが行うことなく、切断されたＡ２ＤＰを自動的に再接続させることができる。【選択図】図１
2011018975.tif 000002
【特許請求の範囲】
【請求項１】
接続相手である別の近距離無線通信装置との間で近距離無線通信回線を接続しているときに複数の通信プロトコルを同時接続可能な近距離無線通信手段と、
前記近距離無線通信手段における前記複数の通信プロトコルの接続及び切断を制御可能な制御手段とを備え、
前記制御手段は、前記近距離無線通信手段と別の近距離無線通信装置との間で複数の通信プロトコルを同時接続しているときに前記複数の通信プロトコルのうち一の通信プロトコルの切断要求を前記近距離無線通信手段から別の近距離無線通信装置に通知させたことに応じて一の通信プロトコルを切断させた後に、前記複数の通信プロトコルのうち他の通信プロトコルの切断要求が別の近距離無線通信装置から前記近距離無線通信手段に通知されたことに応じて他の通信プロトコルが切断された場合に、他の通信プロトコルの接続要求を前記近距離無線通信手段から別の近距離無線通信装置に通知させることを特徴とする近距離無線通信装置。
【請求項２】
請求項１に記載した近距離無線通信装置において、
前記制御手段は、前記近距離無線通信手段と別の近距離無線通信装置との間で複数の通信プロトコルを同時接続しているときに前記複数の通信プロトコルのうち一の通信プロトコルの切断要求を前記近距離無線通信手段から別の近距離無線通信装置に通知させたことに応じて一の通信プロトコルを切断させた後に、前記複数の通信プロトコルのうち他の通信プロトコルの切断要求が別の近距離無線通信装置から前記近距離無線通信手段に通知されたことに応じて他の通信プロトコルが切断され、更に近距離無線通信回線が切断された場合に、近距離無線通信回線の接続要求を前記近距離無線通信手段から別の近距離無線通信装置に通知させ、前記近距離無線通信手段と別の近距離無線通信装置との間で近距離無線通信回線を接続させた後に、他の通信プロトコルの接続要求を前記近距離無線通信手段から別の近距離無線通信装置に通知させることを特徴とする近距離無線通信装置。
【発明の詳細な説明】
【技術分野】
【０００１】
本発明は、接続相手である別の近距離無線通信装置との間で近距離無線通信回線を接続しているときに複数の通信プロトコルを同時接続可能に構成されている近距離無線通信装置に関する。
【背景技術】
【０００２】
Ｂｌｕｅｔｏｏｔｈ（登録商標）（以下、ＢＴと称する）通信機能を有するＢＴ通信装置においては、接続相手である別のＢＴ通信装置との間でＢＴ通信回線を接続しているときにＢＴの通信規格で規定されている複数のプロファイルを同時接続（所謂マルチプロファイル接続）可能に構成されているものがある（例えば特許文献１〜３参照）。
【先行技術文献】
【特許文献】
【０００３】
【特許文献１】特開２００７−２８１６５２号公報
【特許文献２】特開２００７−１５８６７０号公報
【特許文献３】特開２００８−５３８０５号公報
【発明の概要】
【発明が解決しようとする課題】
【０００４】
上記した複数のプロファイルを同時接続可能なＢＴ通信装置同士で複数のプロファイルを同時接続している場合には、一方のＢＴ通信装置がユーザ操作やアプリケーション制御をトリガとして複数のプロファイルのうち一のプロファイルの切断要求を他方のＢＴ通信装置に通知すると、他方のＢＴ通信装置が一のプロファイルの切断応答を一方のＢＴ通信装置に通知し、一方のＢＴ通信装置が一のプロファイルの切断処理を実行する。ところが、一方のＢＴ通信装置から一のプロファイルが切断された他方のＢＴ通信装置の仕様によっては、一方のＢＴ通信装置から一のプロファイルが切断された後に、複数のプロファイルのうち他のプロファイルの切断要求を一方のＢＴ通信装置に通知する場合がある。そして、他方のＢＴ通信装置が複数のプロファイルのうち他のプロファイルの切断要求を一方のＢＴ通信装置に通知すると、一方のＢＴ通信装置が他のプロファイルの切断応答を他方のＢＴ通信装置に通知し、他方のＢＴ通信装置が他のプロファイルの切断処理を実行することになる。
【０００５】
このような場合、一方のＢＴ通信装置においては他方のＢＴ通信装置から意図しない他のプロファイルが切断されることになるので、他のプロファイルを利用した機能を提供することが不可能となる。他のプロファイルを利用した機能を提供するには、一方のＢＴ通信装置を操作するユーザが他のプロファイルを再接続させるための再接続操作を行う必要があり、使い勝手に劣るという問題がある。
【０００６】
本発明は、上記した事情に鑑みてなされたものであり、その目的は、接続相手である別の近距離無線通信装置との間で複数の通信プロトコルを同時接続しているときに別の近距離無線通信装置から意図しない通信プロトコルが切断された場合に、切断された通信プロトコルを再接続させるための再接続操作をユーザが行うことなく、切断された通信プロトコルを自動的に再接続させることができ、使い勝手を高めることができる近距離無線通信装置を提供することにある。
【課題を解決するための手段】
【０００７】
請求項１に記載した発明によれば、制御手段は、近距離無線通信手段と接続相手である別の近距離無線通信装置との間で複数の通信プロトコルを同時接続しているときに複数の通信プロトコルのうち一の通信プロトコルの切断要求を近距離無線通信手段から別の近距離無線通信装置に通知させたことに応じて一の通信プロトコルを切断させた後に、複数の通信プロトコルのうち他の通信プロトコルの切断要求が別の近距離無線通信装置から近距離無線通信手段に通知されたことに応じて他の通信プロトコルが切断された場合に、他の通信プロトコルの接続要求を近距離無線通信手段から別の近距離無線通信装置に通知させる。
【０００８】
これにより、一の通信プロトコルの切断要求を接続相手である別の近距離無線通信装置に通知させたことに応じて一の通信プロトコルを切断させた後に、他の通信プロトコルの切断要求が別の近距離無線通信装置から通知されたことに応じて他の通信プロトコルが切断されると、別の近距離無線通信装置から意図しない他の通信プロトコルが切断されることになるが、切断された他の通信プロトコルの接続要求を別の近距離無線通信装置に通知させることにより、切断された他の通信プロトコルを再接続させるための再接続操作をユーザが行うことなく、切断された他の通信プロトコルを再接続させることができ、使い勝手を高めることができる。
【０００９】
請求項２に記載した発明によれば、制御手段は、近距離無線通信手段と接続相手である別の近距離無線通信装置との間で複数の通信プロトコルを同時接続しているときに複数の通信プロトコルのうち一の通信プロトコルの切断要求を近距離無線通信手段から別の近距離無線通信装置に通知させたことに応じて一の通信プロトコルを切断させた後に、複数の通信プロトコルのうち他の通信プロトコルの切断要求が別の近距離無線通信装置から近距離無線通信手段に通知されたことに応じて他の通信プロトコルが切断され、更に近距離無線通信回線が切断された場合に、近距離無線通信回線の接続要求を近距離無線通信手段から別の近距離無線通信装置に通知させ、近距離無線通信手段と別の近距離無線通信装置との間で近距離無線通信回線を接続させた後に、他の通信プロトコルの接続要求を近距離無線通信手段から別の近距離無線通信装置に通知させる。
【００１０】
これにより、一の通信プロトコルの切断要求を接続相手である別の近距離無線通信装置に通知させたことに応じて一の通信プロトコルを切断させた後に、他の通信プロトコルの切断要求が別の近距離無線通信装置から通知されたことに応じて他の通信プロトコルが切断され、更に近距離無線通信回線が切断されたとしても、切断された近距離無線通信回線の接続要求を別の近距離無線通信装置に通知させることにより、切断された近距離無線通信回線を再接続させるための再接続操作をユーザが行うことなく、切断された近距離無線通信回線を自動的に再接続させることができ、更に切断された他の通信プロトコルの接続要求を近距離無線通信手段から別の近距離無線通信装置に通知させることにより、切断された他の通信プロトコルを再接続させるための再接続操作をユーザが行うことなく、切断された他の通信プロトコルを自動的に再接続させることができる。
【００１１】
即ち、接続相手である別の近距離無線通信装置の仕様が同時接続している複数の通信プロトコルの全てが切断された後に近距離無線通信回線を切断するような場合であっても、切断された近距離無線通信回線の接続要求を別の近距離無線通信装置に通知させ、更に切断された他の通信プロトコルの接続要求を近距離無線通信手段から別の近距離無線通信装置に通知させることにより、適切に対応することができる。
【図面の簡単な説明】
【００１２】
【図１】本発明の一実施形態を示す機能ブロック図
【図２】フローチャート
【図３】シーケンス図（その１）
【図４】シーケンス図（その２）
【発明を実施するための形態】
【００１３】
以下、本発明の一実施形態について、図面を参照して説明する。尚、ここでは、Ｂｌｕｅｔｏｏｔｈ（登録商標）（以下、ＢＴと称する）通信機能を有するＢＴ対応の車載装置が搭載されている車両の車室内に、ＢＴ通信機能を有するＢＴ対応の携帯電話機が車室内に持込まれ、車載装置と携帯電話機とがＢＴ通信可能な状態にある場合を説明する。
【００１４】
ＢＴ通信システム１は、車両に搭載されている車載装置２と車室内に持込まれた携帯電話機３とから構成される。車載装置２は、制御部４（本発明でいう制御手段）と、ＢＴ通信部５（本発明でいう近距離無線通信手段）と、音声処理部６と、記憶部７と、表示制御部８と、タッチ操作入力部９とを備えて構成されている。
【００１５】
制御部４は、周知のマイクロコンピュータからなるＣＰＵ、ＲＡＭ、ＲＯＭ及びＩ／Ｏバス等を有し、車載装置２の通信動作やデータ管理動作等の動作全般を制御する。ＢＴ通信部５は、携帯電話機３との間でＢＴ通信を行う機能を有し、ＢＴの通信規格で規定されている複数のプロファイルとしてハンズフリー通話を規定するＨＦＰ（Hands Free Profile）や音楽ストリーミングデータのパケット転送を規定するＡ２ＤＰ（Advanced Audio Distribution Profile）等を同時接続（所謂マルチプロファイル接続）可能に構成されている。これらＨＦＰやＡ２ＤＰは機能毎に定義された通信プロトコルを意味している。
【００１６】
音声処理部６には車室内にあって例えばハンドルの近傍等のユーザが発した音声を集音し易い部位に配置されているマイクロホン１０が接続されていると共に、車載装置２の外部に配置されているオーディオアンプ１１が接続されており、オーディオアンプ１１には２個のスピーカ１２及び１３が接続されている。
【００１７】
音声処理部６は、ＢＴ通信部５が携帯電話機３との間でＨＦＰを接続しているときには、ユーザが発した音声をマイクロホン１０から送話音声データとして入力すると、その入力した送話音声データを音声処理してＢＴ通信部５に出力し、ＢＴ通信部５から受話音声データを入力すると、その入力した受話音声データをオーディオアンプ１１に出力する。又、音声処理部６は、ストリーミングデータを蓄積する機能とストリーミングデータを再生する機能とを有しており、ＢＴ通信部５が携帯電話機３との間でＡ２ＤＰを接続しているときには、携帯電話機３から送信されたストリーミングデータを受信すると、その受信したストリーミングデータを蓄積し、その蓄積したストリーミングデータを再生してオーディオアンプ１１に出力する。
【００１８】
オーディオアンプ１１は、音声処理部６から受話音声データや音楽ストリーミングデータを入力すると、それら入力した受話音声データや音楽ストリーミングデータを増幅してスピーカ１２及びスピーカ１３から出力させる。又、オーディオアンプ１１にはチューナーデッキ１４も接続されており、オーディオアンプ１１はチューナーデッキ１４が例えば音楽用記録媒体から再生した楽曲音やラジオ放送局から受信したラジオ番組を当該チューナーデッキ１４から入力すると、それら入力した楽曲音やラジオ番組を増幅してスピーカ１２及び１３から出力させる。
【００１９】
記憶部７は、各種データを記憶可能に構成されており、例えば電話番号と登録名との対応を表す電話帳データ、車載装置２からの発信動作又は当該車載装置２との間でＨＦＰを接続している携帯電話機３からの発信動作に係る発信時刻と発信電話番号との対応を表す発信履歴データ、車載装置２との間でＨＦＰを接続している携帯電話機３の着信動作に係る着信時刻と着信電話番号との対応を表す着信履歴データ等を記憶可能に構成されている。
【００２０】
ディスプレイ装置１５は、各種表示画面を表示する表示装置１６と、表示画面上にタッチスイッチを形成するタッチ操作入力装置１７とを備えて構成されている。表示制御部８は、制御部４から表示指令通知を入力すると、その入力した表示指令通知に基づいてディスプレイ装置１５における表示装置１６の表示動作を制御する。タッチ操作入力部９は、ユーザが表示画面上に形成されているタッチスイッチを操作したことに応じてタッチ操作入力装置１７から操作検出通知を入力すると、その入力した操作検出通知を制御部４に出力し、制御部４は、タッチ操作入力部９から入力した操作検出通知を解析する。
【００２１】
携帯電話機３は、自機の動作全般を制御する制御部と、通信網１８との間で電話通信を行う電話通信部と、ＢＴ通信を行うＢＴ通信部と、ユーザが操作する各種キーが配列されてなるキー入力部と、例えば電話番号と登録名との対応を表す電話帳データ等の各種データを記憶する記憶部と、各種表示画面を表示する表示部と、ユーザが発した音声を入力するマイクロホンと、通話相手から受信した音声を受話音声として出力するスピーカとを備えて構成されている。この場合、携帯電話機３のＢＴ通信部は、車載装置２との間でＢＴ通信を行う機能を有し、車載装置２のＢＴ通信部５と同様にしてＢＴの通信規格で規定されている複数のプロファイルとしてＨＦＰやＡ２ＤＰ等を同時接続可能に構成されている。尚、通信網１８は携帯電話基地局や基地局制御装置等の周知の携帯電話通信サービスを提供する設備を含むものである。
【００２２】
上記した構成では、車載装置２及び携帯電話機３の各々は、正常動作状態にあるときには、接続相手からＢＴ通信回線接続要求を受信すると、その受信したＢＴ通信回線接続要求を拒絶することなく許可してＢＴ通信回線接続応答を接続相手に送信し、接続相手からＢＴ通信回線接続要求を受信すると、その受信したＢＴ通信回線接続要求を拒絶することなく許可してＢＴ通信回線接続応答を接続相手に送信する。又、車載装置２及び携帯電話機３の各々は、正常動作状態にあるときには、接続相手からプロファイル接続要求を受信すると、その受信したプロファイル接続要求を拒絶することなく許可してプロファイル接続応答を接続相手に送信し、接続相手からプロファイル接続要求を受信すると、その受信したプロファイル接続要求を拒絶することなく許可してプロファイル接続応答を接続相手に送信する。
【００２３】
次に、上記した構成の作用について、図２乃至図４を参照して説明する。尚、ここでは、車載装置２と携帯電話機３との間でＨＦＰとＡ２ＤＰとを同時接続しているときに車載装置２においてＨＦＰの切断要求が発生した場合を説明する。図２は車載装置２が行う処理をフローチャートにより示しており、図３及び図４は車載装置２と携帯電話機３との間で行う処理をシーケンス図より示している。
【００２４】
車載装置２において、制御部４は、携帯電話機３との間でＨＦＰとＡ２ＤＰとを同時接続しているときにはＨＦＰ及びＡ２ＤＰ同時接続中処理を行っている。ここで、制御部４は、ユーザ操作やアプリケーション制御をトリガとしてＨＦＰの切断要求が発生したと判定すると（ステップＳ１にて「ＹＥＳ」）、ＨＦＰ切断要求をＢＴ通信部５から携帯電話機３に送信させ（ステップＳ２）、携帯電話機３からのＨＦＰ切断応答の受信を待機する（ステップＳ３）。携帯電話機３は、車載装置２から送信されたＨＦＰ切断要求を受信すると、その受信したＨＦＰ切断要求を拒絶することなく許可してＨＦＰ切断応答を車載装置２に送信する。
【００２５】
制御部４は、携帯電話機３から送信されたＨＦＰ切断応答をＢＴ通信部５により受信したと判定すると（ステップＳ３にて「ＹＥＳ」）、計時を開始し（ステップＳ４）、携帯電話機３との間で接続しているＨＦＰを切断するＨＦＰ切断処理を実行する（ステップＳ５）。この場合、制御部４は、携帯電話機３との間でＨＦＰ切断処理を実行したことにより、ＢＴ通信部５と携帯電話機３との間でＡ２ＤＰだけを接続するＡ２ＤＰ接続状態となる。そして、制御部４は、携帯電話機３からのＡ２ＤＰ切断要求をＢＴ通信部５により受信したか否かを判定すると共に（ステップＳ６）、携帯電話機３から送信されたＨＦＰ切断応答をＢＴ通信部５により受信した直後からの経過時間が予め設定されている所定時間に到達したか否かを判定する（ステップＳ７）。
【００２６】
さて、車載装置２との間でＢＴ通信回線を接続している携帯電話機３の仕様によっては、このようにして車載装置２との間でＨＦＰとＡ２ＤＰとを同時接続しているときに車載装置２からＨＦＰ切断要求が送信されたことに応じてＨＦＰが切断されると、ＨＦＰが切断されたことをトリガとして車載装置２との間で接続しているＡ２ＤＰの切断要求を発生させる場合があり、Ａ２ＤＰの切断要求を発生させると、Ａ２ＤＰ切断要求を車載装置２に送信する。
【００２７】
制御部４は、携帯電話機３から送信されたＨＦＰ切断応答をＢＴ通信部５により受信した直後からの経過時間が所定時間に到達するより前に携帯電話機３から送信されたＡ２ＤＰ切断要求をＢＴ通信部５により受信したと判定すると（ステップＳ６にて「ＹＥＳ」）、その受信したＡ２ＤＰ切断要求を拒絶することなく許可してＡ２ＤＰ切断応答をＢＴ通信部５から携帯電話機３に送信させる（ステップＳ８）。そして、制御部４は、携帯電話機３との間で接続しているＡ２ＤＰを切断するＡ２ＤＰ切断処理が実行されたか否かを判定する（ステップＳ９）。携帯電話機３は、車載装置２から送信されたＡ２ＤＰ切断応答を受信すると、車載装置２との間で接続しているＡ２ＤＰを切断するＡ２ＤＰ切断処理を実行し、更に車載装置２との間で接続しているＢＴ通信回線を切断するＢＴ通信回線切断処理を実行する。
【００２８】
制御部４は、Ａ２ＤＰ切断処理が実行されたと判定すると（ステップＳ９にて「ＹＥＳ」）、携帯電話機３との間でＢＴ通信回線の切断処理が実行されたか否かを判定し（ステップＳ１０）、携帯電話機３との間でＢＴ通信回線の切断処理が実行されたと判定すると（ステップＳ１０にて「ＹＥＳ」）、ＢＴ通信回線接続要求をＢＴ通信部５から携帯電話機３に送信させ（ステップＳ１１）、携帯電話機３からのＢＴ通信回線接続応答の受信を待機する（ステップＳ１２）。携帯電話機３は、車載装置２から送信されたＢＴ通信回線接続要求を受信すると、その受信したＢＴ通信回線接続要求を拒絶することなく許可してＢＴ通信回線接続応答を車載装置２に送信する。
【００２９】
制御部４は、携帯電話機３から送信されたＢＴ通信回線接続応答をＢＴ通信部５により受信したと判定すると（ステップＳ１２にて「ＹＥＳ」）、携帯電話機３との間でＢＴ通信回線を接続するＢＴ通信回線接続処理を実行する（ステップＳ１３）。次いで、制御部４は、Ａ２ＤＰ接続要求をＢＴ通信部５から携帯電話機３に送信させ（ステップＳ１４）、携帯電話機３からのＡ２ＤＰ接続応答の受信を待機する（ステップＳ１５）。携帯電話機３は、車載装置２から送信されたＡ２ＤＰ接続要求を受信すると、その受信したＡ２ＤＰ接続要求を拒絶することなく許可してＡ２ＤＰ接続応答を車載装置２に送信する。
【００３０】
そして、制御部４は、携帯電話機３から送信されたＡ２ＤＰ接続応答をＢＴ通信部５により受信したと判定すると（ステップＳ１５にて「ＹＥＳ」）、携帯電話機３との間でＡ２ＤＰを接続するＡ２ＤＰ接続処理を実行し（ステップＳ１６）、Ａ２ＤＰ接続中処理に移行する。この場合も、車載装置２は、携帯電話機３との間でＡ２ＤＰ接続処理を実行したことにより、ＢＴ通信部５と携帯電話機３との間でＡ２ＤＰだけを接続するＡ２ＤＰ接続状態となる。
【００３１】
即ち、車載装置２は、携帯電話機３との間でＨＦＰとＡ２ＤＰとを同時接続しているときにＨＦＰの切断要求が発生すると、携帯電話機３との間で接続しているＨＦＰを切断した後に、接続相手である携帯電話機３の仕様によっては、携帯電話機３との間で接続しているＡ２ＤＰが携帯電話機３から切断され、更に携帯電話機３との間で接続しているＢＴ通信回線が切断されることになるが、その後、ＢＴ通信回線接続要求を携帯電話機３に送信することでＢＴ通信回線を再接続可能になり、更にＡ２ＤＰ接続要求を携帯電話機３に送信することでＡ２ＤＰを再接続可能になる。
【００３２】
又、接続相手である携帯電話機３の仕様によっては、車載装置２との間で接続しているＡ２ＤＰを切断するＡ２ＤＰ切断処理を実行した後に、車載装置２との間で接続しているＢＴ通信回線を切断するＢＴ通信回線切断処理を実行することなくＢＴ通信回線の接続を維持する場合もあるが、そのような場合は、図４に示すように、制御部４は、Ａ２ＤＰ切断処理が実行されたと判定した後に（ステップＳ９にて「ＹＥＳ」）、携帯電話機３との間でＢＴ通信回線の切断処理が実行されなかったと判定し（ステップＳ１０にて「ＮＯ」）、携帯電話機３との間でＢＴ通信回線の接続を維持したまま、Ａ２ＤＰ接続要求をＢＴ通信部５から携帯電話機３に送信させ（ステップＳ１４）、携帯電話機３からのＡ２ＤＰ接続応答の受信を待機し（ステップＳ１５）、携帯電話機３から送信されたＡ２ＤＰ接続応答をＢＴ通信部５により受信したと判定すると（ステップＳ１５にて「ＹＥＳ」）、携帯電話機３との間でＡ２ＤＰを接続するＡ２ＤＰ接続処理を実行し（ステップＳ１６）、Ａ２ＤＰ接続中処理に移行する。
【００３３】
尚、制御部４は、携帯電話機３との間で接続しているＨＦＰを切断するＨＦＰ切断処理を実行した後に（ステップＳ５）、携帯電話機３からのＡ２ＤＰ切断要求をＢＴ通信部５により受信するより前に携帯電話機３から送信されたＨＦＰ切断応答をＢＴ通信部５により受信した直後からの経過時間が所定時間に到達したと判定すると（ステップＳ７にて「ＹＥＳ」）、Ａ２ＤＰだけを接続するＡ２ＤＰ接続状態のままとなるので、Ａ２ＤＰ接続中処理に移行する。又、制御部４は、Ａ２ＤＰ切断応答をＢＴ通信部５から携帯電話機３に送信させた後に（ステップＳ８）、携帯電話機３との間で接続しているＡ２ＤＰを切断するＡ２ＤＰ切断処理が実行されなかったと判定すると（ステップＳ９にて「ＮＯ」）、この場合も、Ａ２ＤＰだけを接続するＡ２ＤＰ接続状態のままとなるので、Ａ２ＤＰ接続中処理に移行する。
【００３４】
又、制御部４は、ＢＴ通信回線接続要求をＢＴ通信部５から携帯電話機３に送信させた後に（ステップＳ１１）、携帯電話機３からのＢＴ通信回線接続応答をＢＴ通信部５により受信しなかったと判定すると（ステップＳ１２にて「ＮＯ」）、ＢＴ通信回線切断状態のままとなるので、ＢＴ通信回線切断中処理に移行する。更に、制御部４は、Ａ２ＤＰ接続要求をＢＴ通信部５から携帯電話機３に送信させた後に（ステップＳ１４）、携帯電話機３からのＢＴ通信回線接続応答をＢＴ通信部５により受信しなかったと判定すると（ステップＳ１５にて「ＮＯ」）、ＢＴ通信回線接続状態であるが何れのプロファイルをも接続していないので、ＢＴ通信回線接続中（プロファイル未接続中）処理に移行する。
【００３５】
ところで、以上は、車載装置２と携帯電話機３との間でＨＦＰとＡ２ＤＰとを同時接続しているときに車載装置２においてＨＦＰの切断要求が発生した場合を説明したが、車載装置２においてＡ２ＤＰの切断要求が発生した場合も同様である。即ち、車載装置２は、携帯電話機３との間で接続しているＡ２ＤＰを切断した後に、携帯電話機３との間で接続しているＨＦＰが携帯電話機３から切断されることになるが、その後、ＨＦＰ接続要求を携帯電話機３に送信することでＨＦＰを再接続可能になる。又、携帯電話機３においてＨＦＰの切断要求やＡ２ＤＰの切断要求が発生した場合も同様である。
【００３６】
以上に説明したように本実施形態によれば、車載装置２において、携帯電話機３との間でＨＦＰとＡ２ＤＰとを同時接続しているときにＨＦＰの切断要求が発生し、ＨＦＰ切断要求を携帯電話機３に送信させたことに応じてＨＦＰを切断させた後に、Ａ２ＤＰ切断要求が携帯電話機３から送信されたことに応じてＡ２ＤＰが切断されると、携帯電話機３から意図しないＡ２ＤＰが切断されることになるが、Ａ２ＤＰ接続要求を携帯電話機３に送信させることにより、切断されたＡ２ＤＰを再接続させるための再接続操作をユーザが行うことなく、切断されたＡ２ＤＰを自動的に再接続させることができ、使い勝手を高めることができる。
【００３７】
又、Ａ２ＤＰ切断要求が携帯電話機３から送信されたことに応じてＡ２ＤＰが切断され、更にＢＴ通信回線が切断された場合であっても、ＢＴ通信回線接続要求を携帯電話機３に送信させることにより、切断されたＢＴ通信回線を再接続させるための再接続操作をユーザが行うことなく、切断されたＢＴ通信回線を自動的に再接続させることができる。即ち、接続相手である携帯電話機３の仕様が同時接続しているＨＦＰとＡ２ＤＰとが切断された後にＢＴ通信回線を切断するような場合であっても、切断されたＢＴ通信回線の接続要求を携帯電話機３に送信させることにより、適切に対応することができる。
【００３８】
本発明は、上記した実施形態にのみ限定されるものではなく、以下のように変形又は拡張することができる。
近距離無線通信装置は車両に搭載されている車載装置２やユーザが携帯可能な携帯電話機３に限らず近距離無線通信機能を有する携帯情報端末等の他の装置であっても良い。又、近距離無線通信装置が車載装置である場合、ナビゲーション機能を有する車載ナビゲーション装置等の別の機能を兼用する車載装置であっても良い。
車載装置２と携帯電話機３との間で同時接続可能なプロファイルは、ダイヤルアップネットワークサービスを規定するＤＵＮ（Dial-Up Network Profile）、メール情報の転送を規定するＭＡＰ（Message Access Profile）、電話帳データの転送を規定するＰＢＡＰ（Phone Book Access Profile）、各種データの転送を規定するＯＰＰ（Object Push Profile）等の別のプロファイルであっても良い。
【００３９】
車載装置２と携帯電話機３との間で３種類以上のプロファイル同時接続している場合に適用しても良い。即ち、車載装置２において、携帯電話機３との間で３種類のプロファイルＡ〜Ｃを同時接続しているときにプロファイルＡの切断要求が発生し、プロファイルＡの切断要求を携帯電話機３に送信させたことに応じてプロファイルＡを切断させた後に、プロファイルＢの切断要求とプロファイルＣの切断要求とが携帯電話機３から送信されたことに応じてプロファイルＢとプロファイルＣとが切断された場合に、プロファイルＢの接続要求とプロファイルＣの接続要求とを携帯電話機３に送信させることにより、切断されたプロファイルＢとプロファイルＣとを自動的に再接続させるようにしても良い。
【符号の説明】
【００４０】
図面中、２は車載装置（近距離無線通信装置）、３は携帯電話機（近距離無線通信装置）、４は制御部（制御手段）、５はＢＴ通信部（近距離無線通信手段）である。
【図１】
2011018975.tif 000003
【図２】
2011018975.tif 000004
【図３】
2011018975.tif 000005
【図４】
2011018975.tif 000006